(57)【要約】  【課題】  確実な止水を可能にしつつ、設置作業を迅速容易に行うことができる止水板を提供する。  【解決手段】  起立状態で配置される板本体２と、板本体２の裏面における左右両側にそれぞれ移動可能に支持された一対の固定部材１０，１０とを備え、板本体２は、床面Ｆに当接する下端面に設けられた第１の止水材３と、裏面の左右両側部に設けられた一対の第２の止水材４，４とを備え、固定部材１０は、床面当接部１３および側壁当接部１４と、床面当接部１３が床面Ｆに当接した状態で側壁当接部１４を付勢する付勢手段２０とを備える。【選択図】  図２
2019210696.tif 000002
【特許請求の範囲】
【請求項１】
床面から互いに対向するように起立する一対の対向側壁と、一対の前記対向側壁の前部にそれぞれ連設された一対の前面側壁とを備える構造物において、一対の前記対向側壁間の前部に形成された出入口からの水の浸入を防止する止水板であって、
起立状態で配置される板本体と、前記板本体の裏面における左右両側にそれぞれ移動可能に支持された一対の固定部材とを備え、
前記板本体は、前記床面に当接する下端面に設けられた第１の止水材と、裏面の左右両側部に設けられて一対の前面側壁とそれぞれ当接可能な一対の第２の止水材とを備え、
前記固定部材は、前記床面および前記対向側壁にそれぞれ当接可能な床面当接部および側壁当接部と、前記床面当接部が前記床面に当接した状態で前記側壁当接部を前記対向側壁に向けて押圧するように付勢する付勢手段とを備える止水板。
【請求項２】
前記固定部材は、前記板本体に対して回動自在に支持されており、
前記床面当接部が前記床面と当接して前記固定部材が回動することにより、前記側壁当接部が前記対向側壁に当接する請求項１に記載の止水板。
【請求項３】
前記固定部材は、前記板本体に対して上下動自在に支持されており、
前記床面当接部が前記床面と当接して前記固定部材が上昇することにより、前記側壁当接部が前記対向側壁に当接する請求項１に記載の止水板。
【請求項４】
前記板本体に対する前記固定部材の移動により係合して、前記側壁当接部が前記対向側壁を押圧する状態を維持するロック手段を備える請求項１から３のいずれかに記載の止水板。
【請求項５】
前記板本体に対する前記固定部材の移動範囲を規制する規制手段を備える請求項１から４のいずれかに記載の止水板。
【発明の詳細な説明】
【技術分野】
【０００１】
本発明は、止水板に関する。
【背景技術】
【０００２】
ビル、病院、地下鉄駅、地下駐車場などの構造物の出入口は、ゲリラ豪雨や台風等によって、内部に水が流れ込むおそれがあることから、これを止水板によって防止することが従来から検討されている。例えば、特許文献１には、起立状態で配置される板本体と、板本体の下端面に設けられた第１の止水材とを備える止水板が開示されており、第１の止水材が、板本体の表面側に突出する突出部を備えることにより、滞留した水によって突出部が押圧されて床面に密着する。
【先行技術文献】
【特許文献】
【０００３】
【特許文献１】特開２０１７−１５０２９６号公報
【発明の概要】
【発明が解決しようとする課題】
【０００４】
上記従来の止水板は、第１の止水材によって下方からの水の浸入を確実に防止できる一方、良好な止水性を維持するために一対のガイドレールを施工するようにしているため、止水板の施工作業性を高める観点から更に改良の余地があった。
【０００５】
そこで、本発明は、確実な止水を可能にしつつ、設置作業を迅速容易に行うことができる止水板の提供を目的とする。
【課題を解決するための手段】
【０００６】
本発明の前記目的は、床面から互いに対向するように起立する一対の対向側壁と、一対の前記対向側壁の前部にそれぞれ連設された一対の前面側壁とを備える構造物において、一対の前記対向側壁間の前部に形成された出入口からの水の浸入を防止する止水板であって、起立状態で配置される板本体と、前記板本体の裏面における左右両側にそれぞれ移動可能に支持された一対の固定部材とを備え、前記板本体は、前記床面に当接する下端面に設けられた第１の止水材と、裏面の左右両側部に設けられて一対の前面側壁とそれぞれ当接可能な一対の第２の止水材とを備え、前記固定部材は、前記床面および前記対向側壁にそれぞれ当接可能な床面当接部および側壁当接部と、前記床面当接部が前記床面に当接した状態で前記側壁当接部を前記対向側壁に向けて押圧するように付勢する付勢手段とを備える止水板により達成される。
【０００７】
この止水板において、前記固定部材は、前記板本体に対して回動自在に支持されていることが好ましく、前記床面当接部が前記床面と当接して前記固定部材が回動することにより、前記側壁当接部が前記対向側壁に当接するように構成することができる。あるいは、前記固定部材は、前記板本体に対して上下動自在に支持されていることが好ましく、前記床面当接部が前記床面と当接して前記固定部材が上昇することにより、前記側壁当接部が前記対向側壁に当接するように構成することができる。
【０００８】
これらの止水板は、前記板本体に対する前記固定部材の移動により係合して、前記側壁当接部が前記対向側壁を押圧する状態を維持するロック手段を備えることが好ましい。
【０００９】
また、前記板本体に対する前記固定部材の移動範囲を規制する規制手段を備えることが好ましい。
【発明の効果】
【００１０】
本発明によれば、確実な止水を可能にしつつ、設置作業を迅速容易に行うことができる止水板を提供することができる。
【図面の簡単な説明】
【００１１】
【図１】本発明の一実施形態に係る止水装置の正面図である。
【図２】図１に示す止水装置の背面図である。
【図３】図２の要部を示す断面図である。
【図４】図２の他の要部を示す側面図である。
【図５】図１に示す止水装置の使用状態を示す平面図である。
【図６】図５の要部拡大図である。
【図７】本発明の他の実施形態に係る止水装置の背面図である。
【図８】図７の要部拡大図である。
【図９】本発明の更に他の実施形態に係る止水装置の側面図である。
【発明を実施するための形態】
【００１２】
以下、本発明の実施の形態について、添付図面を参照して説明する。図１および図２は、本発明の一実施形態に係る止水板の正面図および背面図である。図１および図２に示すように、止水板１は、起立状態で床面Ｆに配置される矩形平板状の板本体２と、板本体２の裏面の左右両側に設けられた一対の固定部材１０，１０とを備えている。
【００１３】
板本体２は、例えば、アルミニウム製のハニカム構造を有する芯材をアルミ板により被覆したハニカムパネルを使用することが可能であり、剛性を維持しつつ軽量化を図ることができる。板本体２の上端面には、裏面側に向けて切り欠かれた部分に、水平に延びる棒状の把持部２ａが設けられている。
【００１４】
板本体２は、下端面に設けられた第１の止水材３と、裏面の左右両側部に設けられた一対の第２の止水材４，４と、表面下部から垂下するように設けられた第３の止水材５とを備えている。第１の止水材３、第２の止水材４および第３の止水材５は、いずれもゴムや樹脂等からなる帯状または板状の部材であり、第１の止水材３および第３の止水材５は、板本体２の左右方向の略全体にわたって設けられ、第２の止水材４は、板本体２の上下方向の略全体にわたって設けられている。
【００１５】
固定部材１０は、中空板状に形成された回動板１１を備えている。回動板１１は、板本体２の下隅部近傍に設けられた回動軸１２により、板本体２に対して回動自在に支持されている。回動板１１の下縁および側縁は、床面Ｆに設置された状態で、板本体２の下縁および側縁とそれぞれ略平行となるように形成されている。回動板１１の下端面および側端面には、床面当接部１３および側壁当接部１４がそれぞれ設けられている。
【００１６】
図３は、図２のＡ部を拡大して示す断面図である。図３に示すように、側壁当接部１４は、支持ボルト１４ａを介して回動板１１に支持されている。支持ボルト１４ａは、基端側が側壁当接部１４に固定され、先端側が回動板１１に形成された挿入孔１１ａに緩挿されており、側壁当接部１４が回動板１１に対して水平方向に接離可能とされている。回動板１１と側壁当接部１４との間には、支持ボルト１４ａの周囲に巻回された付勢手段としてのばね部材２０が設けられている。ばね部材２０は、側壁当接部１４が壁面に当接して回動板１１に接近すると、側壁当接部１４を壁面に向けて矢示Ｃ方向に押圧するように付勢する。
【００１７】
本実施形態の止水板１は、一対の固定部材１０，１０に対応してそれぞれ設けられた一対の規制手段３０，３０および一対のロック手段４０，４０を更に備えている。
【００１８】
図２に示すように、規制手段３０は、回動板１１に形成された円弧状の長孔３１と、長孔３１に挿入されるように板本体２の裏面から突出する突片３２とを備えており、突片３２が長孔３１の両端部で係止されることにより、板本体２に対する固定部材１０の回動範囲が規制される。規制手段３０は、固定部材１０の回動時に板本体２と係合して回動範囲を規制するものであればよく、具体的な構成は必ずしも本実施形態のものに限定されない。
【００１９】
ロック手段４０は、回動板１１に設けられた係止片４１と、板本体２の裏面に設けられたロック部材４２とを備えている。
【００２０】
図４は、図２のＢ部を拡大して示す側面図である。図４（ａ）および（ｂ）に示すように、係止片４１は、回動板１１から上方に突出する帯板状の部材であり、先端部が水平に屈曲して係止部４１ａが形成されている。ロック部材４２は、本体４３から出没可能に設けられた爪部材４４を備えており、爪部材４４が水平方向に出没するように、ブラケット４５により板本体２に取り付けられている。爪部材４４の先端下部には傾斜面４４ａが形成されている。
【００２１】
図４（ａ）に示すように、板本体２が床面Ｆの上方に離隔した状態においては、固定部材１０が自重により回動して、床面当接部１３の下面が板本体２の第１の止水材３の下面よりも下方にある状態になる。この状態で、板本体２を床面Ｆに設置しようとすると、床面当接部１３が先に床面Ｆに当接することで固定部材１０が板本体２に対して相対的に上昇し、係止部４１ａの先端が傾斜面４４ａに沿って摺動することにより、爪部材４４が本体４３内に没入される。そして、図４（ｂ）に示すように、係止部４１ａが爪部材４４の上方まで上昇すると、本体４３に内蔵されたばねの付勢力により爪部材４４が突出して、係止部４１ａと係合する。こうして、板本体２の第１の止水材３が床面Ｆに当接した状態で、固定部材１０の逆方向の回動（すなわち、板本体２に対して固定部材１０が相対的に下降する方向の回動）が防止される。
【００２２】
本体４３の上部にはロック解除ボタン４６が設けられている。ロック解除ボタン４６は、本体４３に内蔵されたばねの付勢力により上方位置に保持されており、ロック解除ボタン４６を押圧すると、カム面（図示せず）同士の摺動により爪部材４４が本体４３に没入され、係止部４１ａとの係合が解除される。
【００２３】
図４に示すように、第１の止水材３は、板本体２の表面側にはみ出すように突出する突出部３ａを有している。また、第３の止水材５は、第１の止水材３を覆うように設けられており、裏面側に第１の止水材３の突出部３ａが当接することにより、前方に向けて湾曲している。
【００２４】
上記の構成を備える止水板１は、図５に平面図で示すように、床面Ｆから互いに対向するように起立する一対の対向側壁９１，９１と、一対の対向側壁９１，９１の前部にそれぞれ連設された一対の前面側壁９２，９２とを備える構造物において、一対の対向側壁９１，９１間の前部に形成された出入口９３に配置することができる。
【００２５】
すなわち、板本体２に設けられた一対の第２の止水材４，４が一対の前面側壁９２，９２にそれぞれ当接するように止水板１を配置すると、一対の固定部材１０，１０が床面Ｆとの当接により回動して、それぞれの側壁当接部１４，１４が一対の対向側壁９１，９１に当接する。図６に示すように、側壁当接部１４は、ばね部材２０の付勢力によって矢示Ｄ方向に付勢されて、対向側壁９１に向けて押圧されるため、止水板１が出入口９３に確実に固定される。こうして第１の止水材３（図１参照）が床面Ｆに当接した状態が維持されるため、出入口９３からの水の浸入を防止することができる。本実施形態のばね部材２０は、回動板１１と側壁当接部１４との間に介在されているが、その配置は特に限定されるものではなく、例えば、回動板１１と床面当接部１３（図２参照）との間に介在させて、側壁当接部１４に付勢力を作用させることもできる。また、ばね部材２０は、側壁当接部１４を対向側壁９１に向けて押圧可能な他の付勢手段に置き換えることも可能である。
【００２６】
本実施形態の止水板１は、第３の止水材５の裏面側に第１の止水材３の突出部３ａが当接すると共に、第３の止水材５の先端部が床面Ｆに当接するため、止水板１の表面側（屋外側）に豪雨等で水が滞留すると、第３の止水材５に水圧による押圧力が作用し、第１の止水材３が押圧されて床面Ｆに密着する。こうして、出入口９３からの水の浸入がより確実に防止される。なお、第１の止水材３および第３の止水材５は、本実施形態のように必ずしも分離可能な別部材とする必要はなく、第１の止水材３が突出部３ａにおいて第３の止水材５と一体化された構成であってもよい。また、第３の止水材５を設けずに、第１の止水材３のみを設けることも可能である。
【００２７】
以上、本発明の一実施形態について詳述したが、本発明の具体的な態様は上記実施形態に限定されない。例えば、本実施形態においては、固定部材１０が板本体２に対して回動自在に支持されているが、固定部材１０は板本体２に対して移動可能に支持されていればよく、その動作は必ずしも回動に限定されない。例えば、図７に示すように、板本体２に対して一対の固定部材１１０，１１０が上下動自在に支持されるように、止水板１を構成してもよい。なお、図７において、図２等と同様の構成部分には同一の符号を付している（以下の図面においても同様）。
【００２８】
図７に示す固定部材１１０は、図８（ａ）および（ｂ）に拡大図で示すように、中空板状に形成された移動板１１１を備えている。床面当接部１３は、移動板１１１の下端面に設けられており、側壁当接部１４は、一対の係合ブロック１１２，１１３およびばね部材２０を介して、移動板１１１の側端面に設けられている。一方の係合ブロック１１２は、水平に延びるように板本体２に固定されたガイド部材１１４に沿って移動可能に保持されており、ばね部材２０を介して側壁当接部１４に連結されている。一方、他方の係合ブロック１１３は、移動板１１１の側端面に固定されており、板本体２に対する移動板１１１の上下動によりガイド部材１１４と干渉しないように、ガイド部材１１４が挿通されるスリットを有している。
【００２９】
一対の係合ブロック１１２，１１３は、互いに対向するカム面１１２ａ，１１３ａを有しており、図８（ａ）に示す状態から、床面当接部１３が床面Ｆと当接して固定部材１１０が板本体２に対して相対的に上昇すると、カム面１１２ａ，１１３ａ同士が摺動して、図８（ｂ）に示すように、一方の係合ブロック１１２が矢示Ｅ方向に移動する。これにより、側壁当接部１４がばね部材２０の付勢力によって対向側壁９１に向けて押圧される。
【００３０】
規制手段３０は、移動板１１１に上下に延びるように形成された長孔３１と、長孔３１に挿入されるように板本体２の裏面から突出する突片３２とを備えており、移動板１１１の上下方向の移動範囲が規制される。また、ロック手段４０は、移動板１１１の上部に設けられた係止片４１と、板本体２の裏面に設けられたロック部材４２とを備えている。板本体２に対する固定部材１１０の上昇により側壁当接部１４が対向側壁９１に当接する構成は、他のカム機構を利用してもよい。
【００３１】
また、上記各実施形態の止水板１は、図９に示すように、複数を上下に配置することも可能である。この場合、各支持板１の上部に幅広の保持面１ａを形成することで、上方の止水板１が備える第１の止水材３が、下方の止水板１の上端面に密着するための十分なスペースを容易に確保することができ、上下の止水板１の間から水が浸入するのを確実に防止することができる。
【００３２】
上記各実施形態の止水板１において、ロック手段４０は必須のものではないが、ロック手段４０を備えることにより、ばね部材２０の付勢力を保持して、側壁当接部１４が対向側壁９１を押圧する状態を確実に維持することができるので、水の浸入をより確実に防止することができる。
【００３３】
また、上記各実施形態の止水板１において、規制手段３０も必須ではないが、規制手段３０を備えることにより、固定部材１０の不要な移動を抑制することができるので、止水板１の取り扱いを容易にして、設置作業性をより向上させることができる。
【符号の説明】
【００３４】
１  止水板
２  板本体
３  第1の止水材
４  第２の止水材
１０，１１０  固定部材
２０  ばね部材（付勢手段）
３０  規制手段
４０  ロック手段
【図１】
2019210696.tif 000003
【図２】
2019210696.tif 000004
【図３】
2019210696.tif 000005
【図４】
2019210696.tif 000006
【図５】
2019210696.tif 000007
【図６】
2019210696.tif 000008
【図７】
2019210696.tif 000009
【図８】
2019210696.tif 000010
【図９】
2019210696.tif 000011